(57)【要約】【課題】磁気センサの製造コストの増大を抑えつつ、センサチップの素子形成面と集磁体の隙間をできるだけ小さくするとともに、製品間におけるばらつきが一定の範囲内に収まるよう、隙間の大きさをコントロールする。【解決手段】素子形成面２０ａが基板２に対して垂直となるよう搭載されたセンサチップ２０と、表面３１が基板２と向かい合い、表面３２が素子形成面２０ａと向かい合うよう搭載された集磁体３０とを備える。集磁体３０は、表面３１，３２の平坦性が、他の表面の平坦性よりも高い。これによれば、素子形成面２０ａと集磁体３０の隙間をできるだけ小さくするとともに、製品間におけるばらつきが一定の範囲内に収まるよう、隙間の大きさをコントロールすることが可能となる。しかも、集磁体３０の他の表面は平坦性が改善されていないことから、当該表面を加工するための不必要な製造コストが生じない。【選択図】図２
2020134419.tif 000002
【特許請求の範囲】
【請求項１】
基板と、
感磁素子が形成された素子形成面を有し、前記素子形成面が前記基板の表面に対して垂直となるよう、前記基板の前記表面に搭載されたセンサチップと、
第１の表面が前記基板の前記表面と向かい合い、第２の表面が前記センサチップの前記素子形成面と向かい合うよう、前記基板の前記表面に搭載された集磁体と、を備え、
前記集磁体は、前記第１及び第２の表面の平坦性が、他の少なくとも一つの表面の平坦性よりも高いことを特徴とする磁気センサ。
【請求項２】
前記集磁体は、第３の表面を有し、
前記センサチップと前記集磁体は、前記センサチップと前記集磁体の前記第３の表面に塗布された接着剤を介して相互に固定され、
前記第１及び第２の表面の平坦性は、前記第３の表面の平坦性よりも高いことを特徴とする請求項１に記載の磁気センサ。
【請求項３】
前記集磁体は、第４の表面をさらに有し、
前記基板と前記集磁体は、前記基板の前記表面と前記集磁体の前記第４の表面に塗布された接着剤を介して相互に固定され、
前記第１及び第２の表面の平坦性は、前記第４の表面の平坦性よりも高いことを特徴とする請求項２に記載の磁気センサ。
【請求項４】
前記集磁体がフェライト材料からなることを特徴とする請求項１乃至３のいずれか一項に記載の磁気センサ。
【請求項５】
磁性材料からなるブロックから集磁体を切り出す第１の工程と、
前記集磁体の第１及び第２の表面を選択的に研削又は研磨することによって、前記第１及び第２の表面の平坦性を選択的に高める第２の工程と、
感磁素子が形成された素子形成面が基板の表面に対して垂直となるよう、センサチップを前記基板の前記表面に搭載する第３の工程と、
前記第１の表面が前記基板の前記表面と向かい合い、前記第２の表面が前記センサチップの前記素子形成面と向かい合うよう、前記基板の前記表面に前記集磁体を搭載する第４の工程と、を備えることを特徴とする磁気センサの製造方法。
【請求項６】
前記第４の工程は、前記集磁体の前記第２の表面が前記センサチップの前記素子形成面に押し当てられるよう、前記集磁体を付勢しながら行うことを特徴とする請求項５に記載の磁気センサの製造方法。
【請求項７】
前記集磁体は、第３の表面を有し、
前記第２の工程においては、前記第３の表面を研削又は研磨することなく前記第１及び第２の表面を研削又は研磨し、
前記第４の工程においては、前記センサチップと前記集磁体の前記第３の表面に接着剤を塗布することを特徴とする請求項６に記載の磁気センサの製造方法。
【請求項８】
前記集磁体は、第４の表面をさらに有し、
前記第２の工程においては、前記第４の表面を研削又は研磨することなく前記第１及び第２の表面を研削又は研磨し、
前記第４の工程においては、前記基板の前記表面と前記集磁体の前記第４の表面に接着剤を塗布することを特徴とする請求項７に記載の磁気センサの製造方法。
【発明の詳細な説明】
【技術分野】
【０００１】
本発明は磁気センサ及びその製造方法に関し、特に、基板の表面に搭載されたセンサチップ及び集磁体からなる磁気センサ及びその製造方法に関する。
【背景技術】
【０００２】
磁気センサは、電流計や磁気エンコーダなどに広く用いられている。磁気センサには、検出感度を高めることを目的として、センサチップに磁束を集めるための集磁体が設けられることがある。例えば、特許文献１には、素子形成面が基板に対して垂直となるよう基板に搭載されたセンサチップと、端部が素子形成面と向かい合うよう基板に搭載された集磁体とを備える磁気センサが開示されている。
【０００３】
特許文献１に記載された磁気センサは、素子形成面が基板に対して垂直となるよう、センサチップを９０°寝かせて基板に搭載していることから、長さの長い集磁体を用いた場合であっても、集磁体を基板上に安定的に保持できるという利点を有している。
【先行技術文献】
【特許文献】
【０００４】
【特許文献１】特開２０１７−０９０１９２号公報
【発明の概要】
【発明が解決しようとする課題】
【０００５】
しかしながら、集磁体の加工精度が低いと、センサチップの素子形成面と集磁体が完全に密着せず、両者間に僅かな隙間が生じることがある。この隙間は、磁界の検出感度に大きな影響を与えることから、できるだけ小さいことが望ましく、且つ、製品間におけるばらつきが一定の範囲内に収まるよう、隙間の大きさをコントロールすることが望ましい。
【０００６】
ここで、センサチップの素子形成面と集磁体の隙間をできるだけ小さくするとともに、製品間におけるばらつきが一定の範囲内に収まるよう、隙間の大きさをコントロールするためには、集磁体の表面を研削又は研磨することによって、各面の平坦性を高めるとともに、２つの面が成す角度をより９０°に近づける方法が挙げられる。
【０００７】
しかしながら、集磁体の全表面を研削又は研磨すると、磁気センサの製造コストが必要以上に増大するという問題があった。
【０００８】
したがって、本発明は、製造コストの増大を抑えつつ、センサチップの素子形成面と集磁体の隙間をできるだけ小さくするとともに、製品間におけるばらつきが一定の範囲内に収まるよう、隙間の大きさをコントロール可能な磁気センサ及びその製造方法を提供することを目的とする。
【課題を解決するための手段】
【０００９】
本発明による磁気センサは、基板と、感磁素子が形成された素子形成面を有し、素子形成面が基板の表面に対して垂直となるよう、基板の表面に搭載されたセンサチップと、第１の表面が基板の表面と向かい合い、第２の表面がセンサチップの素子形成面と向かい合うよう、基板の表面に搭載された集磁体とを備え、集磁体は、第１及び第２の表面の平坦性が、他の少なくとも一つの表面の平坦性よりも高いことを特徴とする。
【００１０】
本発明によれば、集磁体の第１及び第２の表面の平坦性が高められていることから、センサチップの素子形成面と集磁体の隙間をできるだけ小さくするとともに、製品間におけるばらつきが一定の範囲内に収まるよう、隙間の大きさをコントロールすることが可能となる。しかも、集磁体の他の少なくとも一つの表面は、平坦性が改善されていないことから、当該表面を加工するための不必要な製造コストが生じない。これにより、製造コストの増大を抑えることが可能となる。
【００１１】
本発明において、集磁体は第３の表面を有し、センサチップと集磁体は、センサチップと集磁体の第３の表面に塗布された接着剤を介して相互に固定され、第１及び第２の表面の平坦性は、第３の表面の平坦性よりも高くても構わない。これによれば、第３の表面を加工するための不必要な製造コストが生じない。しかも、第３の表面は平坦性が低いことから、接着剤による接着強度を十分に確保することが可能となる。
【００１２】
本発明において、集磁体は第４の表面をさらに有し、基板と集磁体は、基板の表面と集磁体の第４の表面に塗布された接着剤を介して相互に固定され、第１及び第２の表面の平坦性は、第４の表面の平坦性よりも高くても構わない。これによれば、第４の表面を加工するための不必要な製造コストが生じない。しかも、第４の表面は平坦性が低いことから、接着剤による接着強度を十分に確保することが可能となる。
【００１３】
本発明において、集磁体はフェライト材料からなるものであっても構わない。フェライト材料は、切断加工したままの状態では平坦性が低いものの、研削又は研磨によって第１及び第２の表面の平坦性を選択的に高めることが可能となる。
【００１４】
本発明による磁気センサの製造方法は、磁性材料からなるブロックから集磁体を切り出す第１の工程と、集磁体の第１及び第２の表面を選択的に研削又は研磨することによって、第１及び第２の表面の平坦性を選択的に高める第２の工程と、感磁素子が形成された素子形成面が基板の表面に対して垂直となるよう、センサチップを基板の表面に搭載する第３の工程と、第１の表面が基板の表面と向かい合い、第２の表面がセンサチップの素子形成面と向かい合うよう、基板の表面に集磁体を搭載する第４の工程とを備えることを特徴とする。
【００１５】
本発明によれば、集磁体の第１及び第２の表面を選択的に研削又は研磨していることから、第１及び第２の表面の平坦性が高められる一方、研削又は研磨に伴う製造コストの増大を最小限に抑えることが可能となる。
【００１６】
本発明において、第４の工程は、集磁体の第２の表面がセンサチップの素子形成面に押し当てられるよう、集磁体を付勢しながら行っても構わない。これによれば、センサチップの素子形成面と集磁体の隙間をより小さくすることが可能となる。
【００１７】
本発明において、集磁体は第３の表面を有し、第２の工程においては、第３の表面を研削又は研磨することなく第１及び第２の表面を研削又は研磨し、第４の工程においては、センサチップと集磁体の第３の表面に接着剤を塗布しても構わない。これによれば、第３の表面を加工するための不必要な製造コストが生じない。しかも、第３の表面は平坦性が低いことから、接着剤による接着強度を十分に確保することが可能となる。
【００１８】
本発明において、集磁体は第４の表面をさらに有し、第２の工程においては、第４の表面を研削又は研磨することなく第１及び第２の表面を研削又は研磨し、第４の工程においては、基板の表面と集磁体の第４の表面に接着剤を塗布しても構わない。これによれば、第４の表面を加工するための不必要な製造コストが生じない。しかも、第４の表面は平坦性が低いことから、接着剤による接着強度を十分に確保することが可能となる。
【発明の効果】
【００１９】
このように、本発明によれば、製造コストの増大を抑えつつ、センサチップの素子形成面と集磁体の隙間をできるだけ小さくするとともに、製品間におけるばらつきが一定の範囲内に収まるよう、隙間の大きさをコントロールすることが可能となる。
【図面の簡単な説明】
【００２０】
【図１】図１は、本発明の好ましい実施形態による磁気センサ１０の外観を示す模式的な斜視図である。
【図２】図２は、センサチップ２０の素子形成面２０ａの構造を説明するための模式的な斜視図である。
【図３】図３は、感磁素子Ｒ１〜Ｒ４の接続関係を説明するための回路図である。
【図４】図４は、集磁体３０の構造を説明するための略斜視図である。
【図５】図５（ａ）〜（ｃ）は、接着剤７１〜７３の塗布位置を説明するための模式図である。
【図６】図６は、磁気センサ１０の製造工程を説明するためのフローチャートである。
【図７】図７は、集磁体３０を付勢しながら接着剤７１の供給及び硬化を行う方法を説明するための模式図である。
【発明を実施するための形態】
【００２１】
以下、添付図面を参照しながら、本発明の好ましい実施形態について詳細に説明する。
【００２２】
図１は、本発明の好ましい実施形態による磁気センサ１０の外観を示す模式的な斜視図である。
【００２３】
図１に示すように、本実施形態による磁気センサ１０は、表面がｘｚ面を構成する基板２と、基板２の表面上に載置されたセンサチップ２０及び集磁体３０，４１，４２を備えている。センサチップ２０は、ｘｙ面を構成する素子形成面２０ａを有しており、集磁体３０のｚ方向における一端と素子形成面２０ａが向かい合っている。集磁体４１，４２は、センサチップ２０の裏面側に設けられている。集磁体３０，４１，４２は、フェライトなど透磁率の高い軟磁性材料からなるブロックである。
【００２４】
図１に示すように、本実施形態においては、センサチップ２０の素子形成面２０ａが基板２の表面に対して垂直となるよう、センサチップ２０が搭載されている。つまり、基板２に対して９０°寝かせた状態でセンサチップ２０が搭載されている。このため、集磁体３０のｚ方向における長さが長い場合であっても、集磁体３０を基板２に安定して固定することが可能である。
【００２５】
図２は、センサチップ２０の素子形成面２０ａの構造を説明するための模式的な斜視図である。
【００２６】
図２に示すように、センサチップ２０は略直方体形状を有し、ｘｙ平面を構成する素子形成面２０ａには４つの感磁素子Ｒ１〜Ｒ４が形成されている。感磁素子Ｒ１〜Ｒ４は、磁界の向き又は強度に応じて特性が変化する素子であれば特に限定されず、例えば、磁気抵抗素子を用いることができる。以下の説明においては、感磁素子Ｒ１〜Ｒ４が磁気抵抗素子であり、互いに同一の磁化固定方向を有している場合を例に説明する。ここで、感磁素子Ｒ１，Ｒ３のｘ方向における位置は同じであり、感磁素子Ｒ２，Ｒ４のｘ方向における位置は同じである。また、感磁素子Ｒ１，Ｒ４のｙ方向における位置は同じであり、感磁素子Ｒ２，Ｒ３のｙ方向における位置は同じである。
【００２７】
センサチップ２０の素子形成面２０ａには、磁性体層２１〜２３が形成されている。磁性体層２１は、平面視で素子形成面２０ａ上の略中央に位置し、そのｘ方向における両側に磁性体層２２，２３が配置される。特に限定されるものではないが、磁性体層２１〜２３としては、樹脂材料に磁性フィラーが分散された複合磁性材料からなる膜であっても構わないし、ニッケル又はパーマロイなどの軟磁性材料からなる薄膜もしくは箔であっても構わないし、フェライトなどからなる薄膜又はバルクシートであっても構わない。そして、感磁素子Ｒ１，Ｒ３は、磁性体層２１と磁性体層２２によって形成されるギャップに配置され、感磁素子Ｒ２，Ｒ４は、磁性体層２１と磁性体層２３によって形成されるギャップに配置される。
【００２８】
集磁体３０は、平面視で、つまりｚ方向から見て、感磁素子Ｒ１，Ｒ３と感磁素子Ｒ２，Ｒ４との間に配置されており、ｚ方向を長手方向とする直方体形状を有している。集磁体３０はｚ方向の磁束を集め、これを素子形成面２０ａ上でｘ方向における両側にスプリットさせる役割を果たす。集磁体３０のｚ方向における高さについては特に限定されないが、ｚ方向における高さをより高くすることによって、ｚ方向の磁束の選択性を高めることができる。本実施形態においては、集磁体３０のｙ方向における幅がセンサチップ２０のｙ方向における幅と略一致しているが、本発明がこれに限定されるものではない。
【００２９】
センサチップ２０の一方の側面及び裏面の半分は、集磁体４１によって覆われている。同様に、センサチップ２０の他方の側面及び裏面の残り半分は、集磁体４２によって覆われている。本発明において集磁体４１，４２を設けることは必須ではないが、集磁体４１，４２を設けることによってｚ方向の磁束に対する選択性をより高めることが可能となる。集磁体４１，４２は、ｚ方向における位置が素子形成面２０ａを超えるようｚ方向に延長され、さらにこの延長された部分から素子形成面２０ａ側に折り曲げられたオーバーハング部分ＯＨ１，ＯＨ２をそれぞれ有している。
【００３０】
かかる構成により、ｚ方向から見て、感磁素子Ｒ１，Ｒ３は集磁体３０と集磁体４１のオーバーハング部分ＯＨ１との間に位置し、感磁素子Ｒ２，Ｒ４は集磁体３０と集磁体４２のオーバーハング部分ＯＨ２との間に位置する。このため、集磁体３０によって集められた磁束は、ｘ方向における両側にほぼ均等に分配された後、オーバーハング部分ＯＨ１，ＯＨ２を介して集磁体４１，４２に吸い込まれる。この時、磁束の一部が感磁素子Ｒ１〜Ｒ４を通過するため、感磁素子Ｒ１，Ｒ３と感磁素子Ｒ２，Ｒ４には、互いに逆方向の磁束が与えられることになる。
【００３１】
図３は、感磁素子Ｒ１〜Ｒ４の接続関係を説明するための回路図である。
【００３２】
図３に示すように、感磁素子Ｒ１は端子電極５３，５６間に接続され、感磁素子Ｒ２は端子電極５４，５５間に接続され、感磁素子Ｒ３は端子電極５３，５４間に接続され、感磁素子Ｒ４は端子電極５５，５６間に接続される。ここで、端子電極５６には電源電位Ｖｃｃが与えられ、端子電極５４には接地電位ＧＮＤが与えられる。そして、感磁素子Ｒ１〜Ｒ４は全て同一の磁化固定方向を有しており、集磁体３０からみて一方側に位置する感磁素子Ｒ１，Ｒ３の抵抗変化量と、集磁体３０からみて他方側に位置する感磁素子Ｒ２，Ｒ４の抵抗変化量との間には差が生じる。これにより、感磁素子Ｒ１〜Ｒ４は差動ブリッジ回路を構成し、磁束密度に応じた感磁素子Ｒ１〜Ｒ４の電気抵抗の変化が端子電極５３，５５に現れることになる。
【００３３】
端子電極５３，５５から出力される差動信号は、基板２又はその外部に設けられた差動アンプ６１に入力される。差動アンプ６１の出力信号は、端子電極５２にフィードバックされる。図３に示すように、端子電極５１と端子電極５２との間には補償コイルＣが接続されており、これにより、補償コイルＣは差動アンプ６１の出力信号に応じた磁界を発生させる。補償コイルＣは、センサチップ２０に集積することが可能である。かかる構成により、磁束密度に応じた感磁素子Ｒ１〜Ｒ４の電気抵抗の変化が端子電極５３，５５に現れると、磁束密度に応じた電流が補償コイルＣに流れ、逆方向の磁束を発生させる。これにより、外部磁束が打ち消される。そして、差動アンプ６１から出力される電流を検出回路６２によって電流電圧変換すれば、外部磁束の強さを検出することが可能となる。
【００３４】
図４は、集磁体３０の構造を説明するための略斜視図である。
【００３５】
図４に示すように、集磁体３０は６つの表面３１〜３６を有する略直方体である。このうち、表面３１はｘｚ面を構成する面であり、実装されると、基板２の表面と向かい合う。表面３２はｘｙ面を構成する面であり、実装されると、センサチップ２０の素子形成面２０ａと向かい合う。表面３３は、表面３１の反対側に位置するｘｚ面である。表面３４は、表面３２の反対側に位置するｘｙ面である。表面３５，３６は、互いに反対側に位置するｙｚ面である。
【００３６】
そして、本実施形態においては、集磁体３０の表面３１，３２の平坦性が、他の表面３３〜３６の平坦性よりも高められている。例えば、表面３３〜３６については表面粗さＲａが２００ｎｍ程度であるのに対し、表面３１，３２については表面粗さＲａが３０ｎｍ程度に平坦化されている。これは、後述するように、集磁体３０の表面３１，３２に対して選択的に研削又は研磨を行った結果である。集磁体３０の表面３１，３２に対して研削又は研磨を行うことにより、表面３１，３２の平坦性が高められるだけでなく、表面３１と表面３２の成す角度がより９０°に近づけられている。これにより、集磁体３０を基板２に搭載すると、表面３１が基板２の表面にほぼ隙間なく密着し、且つ、表面３２がセンサチップ２０の素子形成面２０ａにほぼ隙間なく密着することから、素子形成面２０ａと集磁体３０の隙間に起因する検出感度の低下を抑えることができるとともに、製品間における検出感度のばらつきを小さくすることができる。
【００３７】
図５に示すように、集磁体３０の固定には接着剤７１〜７３を用いることができる。図５（ａ）に示す例では、集磁体３０の表面３３とセンサチップ２０の上面（ｘｚ面）２０ｂに亘って接着剤７１が塗布されており、これによって、センサチップ２０と集磁体３０の相対的な位置関係が固定されている。集磁体３０の表面３３は、表面３１，３２よりも粗面であることが好ましい。これによれば、集磁体３０の表面３３が表面３１，３２と同等の平坦性を有している場合と比べ、接着剤７１による接着強度を高めることができる。また、接着剤７１が集磁体３０の表面３２と素子形成面２０ａの間に滲入すると、両者の隙間が広がる可能性があるが、本実施形態においては、集磁体３０の表面３２の平坦性が高められていることから、表面張力に起因する接着剤７１の滲入は起こりにくい。
【００３８】
また、図５（ｂ）に示す例では、集磁体３０の表面３４と基板２の表面に亘って接着剤７２が塗布されており、これによって、基板２と集磁体３０の相対的な位置関係が固定されている。集磁体３０の表面３４は、表面３１，３２よりも粗面であることが好ましい。これによれば、集磁体３０の表面３４が表面３１，３２と同等の平坦性を有している場合と比べ、接着剤７２による接着強度を高めることができる。
【００３９】
また、図５（ｃ）に示す例では、集磁体３０の表面３５，３６と基板２の表面に亘って接着剤７３が塗布されており、これによって、基板２と集磁体３０の相対的な位置関係が固定されている。集磁体３０の表面３５，３６は、表面３１，３２よりも粗面であることが好ましい。これによれば、集磁体３０の表面３５，３６が表面３１，３２と同等の平坦性を有している場合と比べ、接着剤７３による接着強度を高めることができる。
【００４０】
但し、本発明において、接着剤７１〜７３を全て使用することは必須でなく、一部の接着剤、例えば接着剤７３については省略しても構わない。
【００４１】
次に、本実施形態による磁気センサ１０の製造方法について説明する。
【００４２】
図６は、本実施形態による磁気センサ１０の製造工程を説明するためのフローチャートである。
【００４３】
まず、フェライトなどの磁性材料からなるブロックから集磁体３０を切り出した後（ステップＳ１１）、集磁体３０の表面３１，３２を研削又は研磨することによって、表面３１，３２の平坦性を高める（ステップＳ１２）。集磁体３０を切り出した直後においては、各表面３１〜３６の平坦性は低く、且つ、２つの面が成す角度も精度が低い状態である。しかしながら、集磁体３０の表面３１，３２に対して研削又は研磨を行えば、表面３１，３２の平坦性が高められ、且つ、表面３１と表面３２の成す角度が限りなく９０°に近づく。他の表面３３〜３６に対しては研削又は研磨は行われず、これにより、不必要な製造コストの増加が防止される。但し、表面３３〜３６の一部に対して研削又は研磨は行っても構わない。
【００４４】
一方、集磁体３０の加工と並行して、素子形成面２０ａが基板２に対して垂直となるよう、センサチップ２０を搭載する（ステップＳ２１）。その後、加工された集磁体３０を基板２の表面に搭載する（ステップＳ２２）。集磁体３０の搭載は、表面３１が基板２の表面と向かい合い、表面３２がセンサチップ２０の素子形成面２０ａと向かい合うように行う。上述の通り、集磁体３０の表面３１，３２は平坦性が高く、且つ、表面３１と表面３２の成す角度が限りなく９０°に近づけられていることから、集磁体３０の表面３２をほぼ隙間なくセンサチップ２０の素子形成面２０ａに密着させることができる。
【００４５】
次に、接着剤７１〜７３を供給及び硬化させることによって、集磁体３０を固定する（ステップＳ２３）。この時、集磁体３０の表面３２がセンサチップ２０の素子形成面２０ａに正しく押し当てられた状態で固定されるよう、集磁体３０を付勢しながら接着剤の供給及び硬化を行うことが好ましい。例えば、図７に示すように、基板２に集磁体３０を載置した後、付勢治具８１によって表面３４側から集磁体３０を−ｚ方向に付勢した状態で、ディスペンサ７０から接着剤７１を供給することが好ましい。この時、センサチップ２０が−ｚ方向に移動又は倒れないよう、センサチップ２０の裏面側を固定治具８２によって支持することが好ましい。このような治具８１，８２を用いて接着剤７１を供給し、硬化させれば、集磁体３０の表面３２がセンサチップ２０の素子形成面２０ａに正しく押し当てられた状態が保たれるとともに、集磁体３０の表面３２とセンサチップ２０の素子形成面２０ａの間への接着剤７１の滲入を防止することができる。
【００４６】
接着剤７２，７３の供給及び硬化についても同様であり、治具８１，８２を用いて固定した状態で行えば良い。
【００４７】
以上説明したように、本実施形態による磁気センサ１０は、集磁体３０の表面３１，３２の平坦性が選択的に高められていることから、集磁体３０の表面３２をほぼ隙間なくセンサチップ２０の素子形成面２０ａに密着させることができる。しかも、集磁体３０の表面３２とセンサチップ２０の素子形成面２０ａの間における接着剤７１の滲入も生じにくい。さらに、他の表面３３〜３６の少なくとも一部に対しては研削又は研磨は行われていないことから、接着剤７１〜７３による接着強度を十分に確保することができる。
【００４８】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００４９】
２    基板
１０    磁気センサ
２０    センサチップ
２０ａ    素子形成面
２０ｂ    センサチップの上面
２１〜２３    磁性体層
３０，４１，４２    集磁体
３１〜３６    集磁体の表面
５１〜５６    端子電極
６１    差動アンプ
６２    検出回路
７０    ディスペンサ
７１〜７３    接着剤
８１    付勢治具
８２    固定治具
Ｃ    補償コイル
ＯＨ１，ＯＨ２    オーバーハング部分
Ｒ１〜Ｒ４    感磁素子
【図１】
2020134419.tif 000003
【図２】
2020134419.tif 000004
【図３】
2020134419.tif 000005
【図４】
2020134419.tif 000006
【図５】
2020134419.tif 000007
【図６】
2020134419.tif 000008
【図７】
2020134419.tif 000009